(57)【特許請求の範囲】
【請求項１】
一端部が開口し且つ他端部が閉口した筒部を有し、液体を濾過するためのカートリッジと、筒状部を有し、前記カートリッジの前記一端部に連結されるホルダとを備えた液体濾過器であって、
前記ホルダは、前記筒状部の内周壁から半径方向の内方に突出する第１の突起部と、前記筒状部の周方向において前記第１の突起部が配置される位置とは異なる位置に配置され、前記内周壁から半径方向の内方に突出する第２の突起部と、前記筒状部の内周壁の前記第１の突起部に前記筒状部の外周壁において対向する位置に配置され、前記ホルダに対する前記カートリッジの回転の開始位置を指示するための第１の目印とを有し、
前記カートリッジは、前記筒部の前記一端部の外周壁から半径方向の外方に突出する二つの凸状部と、前記カートリッジの周方向における二つの前記凸状部の間隙に配置され、前記ホルダに対する前記カートリッジの回転の開始位置を指示するための第２の目印とを有し、
前記凸状部は、
前記外周壁から突出するとともに、前記外周壁の第１の位置から第２の位置まで、前記筒部の周方向の第１の方向に沿って前記一端部から前記他端部に向かって斜めに延びる第１の斜面部と、
前記外周壁から突出するとともに、前記外周壁の前記第２の位置から第３の位置まで、前記筒部の周方向の前記第１の方向に沿って水平方向に延びる水平面部と、
前記外周壁から突出するとともに、前記外周壁の第４の位置から第５の位置まで、前記筒部の周方向の前記第１の方向に沿って前記一端部から前記他端部に向かって斜めに延びる第２の斜面部とを有し、
前記筒状部の周方向に沿った前記第１の突起部の幅と、前記筒状部の前記周方向に沿った前記第２の突起部の幅とは、それぞれ前記筒状部の中心角が４５度である円弧の長さ以下であって、
前記筒状部において隣り合う前記第１の突起部と前記第２の突起部との前記筒状部の前記周方向に沿った間隔は、前記中心角が４５度である円弧の長さよりも大きい、
液体濾過器。
【請求項２】
前記カートリッジを前記ホルダが蓋をするときに前記凸状部の前記第１の斜面部と対向する前記第１の突起部の端面の一部には、前記第１の斜面部に向かって突出するように湾曲する曲面部が形成されている、請求項１に記載の液体濾過器。
【請求項３】
前記カートリッジを前記ホルダが蓋をするときに前記凸状部の前記第１の斜面部と対向する前記第１の突起部の端面の一部には、前記筒状部の長手方向および周方向に対して傾斜し、且つ、前記第１の斜面部が延びる方向と略平行な方向に延びる傾斜面部が形成されている、請求項１に記載の液体濾過器。
【請求項４】
前記カートリッジが前記ホルダから取り外されるときに前記凸状部の前記第２の斜面部と対向する前記第２の突起部の端面の一部には、前記第２の斜面部に向かって突出するように湾曲する曲面部が形成されている、
請求項１から請求項３までのいずれか１項に記載の液体濾過器。
【請求項５】
前記カートリッジが前記ホルダから取り外されるときに前記凸状部の前記第２の斜面部と対向する前記第２の突起部の端面の一部には、前記筒状部の長手方向および周方向に対して傾斜し、且つ、前記第２の斜面部が延びる方向と略平行な方向に延びる傾斜面部が形成されている、請求項１から請求項３までのいずれか１項に記載の液体濾過器。
【請求項６】
前記第１の突起部には、前記カートリッジを前記ホルダが蓋をするときに前記凸状部の前記水平面部が延びる方向と略平行な方向に延びる水平面部が形成されている、
請求項１から請求項５までのいずれか１項に記載の液体濾過器。
【請求項７】
前記ホルダは、二組の前記第１の突起部と前記第２の突起部とを有し、
前記筒状部の周方向において前記第１の突起部と前記第２の突起部とが互い違いに配置され、
前記ホルダの前記筒状部は、円筒形状を有している、
請求項１から請求項６までのいずれか１項に記載の液体濾過器。
【請求項８】
前記カートリッジの前記一端部の前記外周壁において前記凸状部よりも前記一端部側には、シール部材が取り付けられ、
前記ホルダは、前記筒状部よりも前記一端部側に配置された他の筒状部を有し、
前記凸状部の第１の斜面部の前記一端部側端と前記水平面部の前記一端部側端との間の寸法ａと、前記シール部材の前記一端部側端と前記他端部側端との間の寸法ｂと、前記シール部材の前記他端部側端と前記第１の斜面部の前記一端部側端との間の寸法ｃと、前記他の筒状部の内周壁の前記他端部側端と前記第１の突起部の前記一端部側端との間の寸法ｄとの間に、ａ＋ｃ≧ｄ、ａ≧ｂ、および、ｃ≦ｄの関係が成り立つ、
請求項１から請求項７までのいずれか１項に記載の液体濾過器。
【請求項９】
前記カートリッジの前記一端部には、前記シール部材の前記一端部側に他のシール部材が配置され、前記他のシール部材の前記一端部側端と前記他端部側端との間の寸法は、前記シール部材の前記一端部側端と前記他端部側端との間の寸法と同一である、
請求項８に記載の液体濾過器。
【発明の詳細な説明】
【技術分野】
【０００１】
本発明は、液体を濾過するためのカートリッジとそれに蓋をするためのホルダとを備えた液体濾過器に関する。
【背景技術】
【０００２】
液体を濾過することを含む液体を処理するためのカートリッジと、当該カートリッジに蓋をするためのホルダとを備えた液体処理器について、例えば、特表２００７−５３１６２５号公報（以下、特許文献１という）に係る水フィルタアセンブリと、中国実用新案公告第２０１４８２２９０号明細書（以下、特許文献２という）に係るフィルタとが従来から知られている。
【０００３】
特許文献１に係る水フィルタアセンブリは、水を処理するためのカートリッジアセンブリと、当該カートリッジアセンブリに蓋をするためのマニホールドアセンブリとを有している。
【０００４】
カートリッジアセンブリには、螺旋タブが形成されている。詳細には、螺旋タブは、カートリッジアセンブリの頂部の一部である縁状のマージンの外側に形成されている。螺旋タブは、縁状のマージンにおいて、その起点から円周の半分未満の距離だけ離れた位置まで螺旋状に上に向かって延びている。
【０００５】
マニホールドアセンブリのうち、カートリッジアセンブリの頂部に係合されるカートリッジレシーバには、螺旋タブが形成されている。マニホールドアセンブリの螺旋タブは、カートリッジレシーバの縁状のマージンの内側に形成されている。カートリッジアセンブリの螺旋タブと、マニホールドアセンブリの螺旋タブとが螺旋状に係合されることにより、マニホールドアセンブリとカートリッジアセンブリとが互いに連結される。
【０００６】
特許文献２に係るフィルタは、水を処理するためのフィルタ装置と、当該フィルタ装置に蓋をするための接続ヘッド部とを有している。フィルタ装置と接続ヘッド部との連結構造としては、接続ヘッド部に雌ねじが形成され、フィルタ装置の上部の外面に雄ねじが形成されている。接続ヘッド部の雌ねじと、フィルタ装置の雄ねじとが相互に配合されることにより、接続ヘッド部とフィルタ装置とが互いに連結される。
【０００７】
また、特開２００１−２１９９５１号公報（以下、特許文献３という）に係るキャップ付き容器のように、容器と、その容器に蓋をするためのキャップとの連結構造が従来から知られている。特許文献３に係るキャップ付き容器において、キャップは、略円形の天板部と、天板部の周縁より下方に延びる円筒部と、円筒部の内径方向に突出する４つのラグとによって一体に形成されている。一方、容器の口部の外周面には、キャップのラグに対応した４つのスレッドが形成されている。各スレッドは、口部の外周面に沿って延びている。
【０００８】
スレッドは、水平に延びる係合スレッドと、ストッパと、案内スレッドとによって構成されている。ストッパは、係合スレッドの左端部から下方に延びている。案内スレッドは、係合スレッドの右端部から右斜め上方に延びた後に、係合スレッドよりも上方において右方に延びている。
【０００９】
ストッパは第１規制部を構成し、案内スレッドの右端部は第２規制部を構成している。口部の鉛直方向について、第１規制部の上縁部と第２規制部の下縁部との間隔は、ラグの幅よりも広い。一方、口部の円周方向について、第１規制部と第２規制部との間隔は、ラグの長さよりも狭い。この構成により、キャップが容器から取り外される場合には第２規制部の下縁部にラグが当接するため、容器内の圧力によってキャップが容器から勢いよく外れるような事態が防止されている。
【先行技術文献】
【特許文献】
【００１０】
【特許文献１】特表２００７−５３１６２５号公報
【特許文献２】中国実用新案公告第２０１４８２２９０号明細書
【特許文献３】特開２００１−２１９９５１号公報
【発明の概要】
【発明が解決しようとする課題】
【００１１】
しかしながら、特許文献１に係る水フィルタアセンブリにおいては、カートリッジアセンブリの螺旋タブと、マニホールドアセンブリの螺旋タブとのような螺旋構造により、カートリッジアセンブリに対してマニホールドアセンブリが固定される。同様に、特許文献２に係るフィルタにおいては、接続ヘッド部の雌ねじと、フィルタ装置の雄ねじとのような螺旋構造により、フィルタ装置に対して接続ヘッド部が固定される。
【００１２】
螺旋構造を用いてカートリッジとホルダとを固定する場合には、カートリッジの内部の圧力がホルダに負荷されるときにホルダに対してカートリッジが螺旋構造に沿って回転することにより、ホルダからカートリッジが外れるような事態が発生するおそれがある。
【００１３】
一方、特許文献３に係るキャップ付き容器は、容器内の圧力によってキャップが容器から勢いよく外れるような事態を防ぐように構成されているとしても、容器に対してキャップを容易に取り外すことについて考慮されたものではない。同様に、特許文献１に係る水フィルタアセンブリと、特許文献２に係るフィルタとも、ホルダに対するカートリッジの取り外し易さについて考慮されたものではない。
【００１４】
そこで、本発明の目的は、液体を濾過するためのカートリッジと、当該カートリッジに蓋をするためのホルダとを備えた液体濾過器であって、ホルダからカートリッジを容易に取り外すことができ、且つ、ホルダからカートリッジが外れることが防止された液体濾過器を提供することである。
【課題を解決するための手段】
【００１５】
本発明に従った液体濾過器は、液体を濾過するためのカートリッジと、ホルダとを備えた液体濾過器である。カートリッジは、一端部が開口し且つ他端部が閉口した筒部を有している。ホルダは、筒状部を有し、カートリッジの一端部に連結される。
【００１６】
ホルダは、第１の突起部と第２の突起部と第１の目印とを有している。第１の突起部は、筒状部の内周壁から半径方向の内方に突出している。第２の突起部は、筒状部の周方向において第１の突起部が配置される位置とは異なる位置に配置され、内周壁から半径方向の内方に突出している。第１の目印は、筒状部の内周壁の第１の突起部に筒状部の外周壁において対向する位置に配置されている。第１の目印は、ホルダに対するカートリッジの回転の開始位置を指示するためのものである。カートリッジは、一端部の外周壁から半径方向の外方に突出する二つの凸状部を有している。また、カートリッジは、第２の目印を有している。第２の目印は、カートリッジの周方向における二つの凸状部の間隙に配置されている。第２の目印は、ホルダに対するカートリッジの回転の開始位置を指示するためのものである。筒状部の周方向に沿った第１の突起部の幅と、筒状部の周方向に沿った第２の突起部の幅とは、それぞれ筒状部の中心角が４５度である円弧の長さ以下である。さらに、筒状部において隣り合う第１の突起部と第２の突起部との筒状部の周方向に沿った間隔は、中心角が４５度である円弧の長さよりも大きい。
【００１７】
凸状部は、第１の斜面部と、水平面部と、第２の斜面部とを有している。第１の斜面部は、外周壁から突出するとともに、外周壁の第１の位置から第２の位置まで、筒部の周方向の第１の方向に沿って一端部から他端部に向かって斜めに延びている。水平面部は、外周壁から突出するとともに、外周壁の第２の位置から第３の位置まで、筒部の周方向の第１の方向に沿って水平方向に延びている。第２の斜面部は、外周壁から突出するとともに、外周壁の第４の位置から第５の位置まで、筒部の周方向の第１の方向に沿って一端部から他端部に向かって斜めに延びている。
【００１８】
本発明によれば、当該液体濾過器においてカートリッジがホルダに取り付けられる場合に、第１の突起部は、カートリッジの一端部側から他端部側に向かって、第１の斜面部の他端部側面に沿って周方向の第１の方向に円滑に移動する。また、第１の突起部は、凸状部の第１の斜面部の他端部側端から水平面部の他端部側面に沿って周方向にさらに移動することにより、凸状部の水平面部の他端部側面に配置される。これにより、ホルダの筒状部に、カートリッジの一端部が連結される。このようにして、カートリッジとホルダとが互いに固定される。
【００１９】
本発明に係る液体濾過器において、カートリッジとホルダとが固定された状態では、第１の突起部は、凸状部の水平面部に接触している。そのため、螺旋構造による連結とは異なり、カートリッジの内部の圧力が、ホルダに対してカートリッジが回転する力に変換されることが無い。つまり、本発明によれば、ホルダからカートリッジが外れることが防止されている。
【００２０】
また、本発明に係る液体濾過器においてカートリッジがホルダから取り外される場合に、第１の突起部は、水平面部の他端部側面に沿って周方向の第１の方向の逆方向に移動する。一方、この場合に、第２の突起部は、筒部の周方向の第１の方向の逆方向に沿って他端部から一端部に向かって斜めに、第２の斜面部の一端部側面を円滑に摺動する。これにより、カートリッジをホルダから容易に取り外すことができる。
【００２１】
なお、この場合に、第２の突起部は、筒部の外周壁の第５の位置の近傍から第４の位置まで移動する。すなわち、第２の突起部は、筒部の周方向において第１の斜面部が配置される位置とは異なる位置から、筒部の周方向において水平面部が配置される位置とは異なる位置まで移動する。このように構成されているので、本発明に係る液体濾過器において第１の突起部が水平面部に接触している場合には、第２の突起部が第２の斜面部に接触しない。したがって、カートリッジの内部の圧力が、カートリッジに対してホルダが回転する力に変換されることが無い。つまり、本発明によれば、ホルダからカートリッジが外れることが防止されている。
【００２２】
本発明に従った液体濾過器において、カートリッジをホルダが蓋をするときに凸状部の第１の斜面部と対向する第１の突起部の端面の一部には、第１の斜面部に向かって突出するように湾曲する曲面部が形成されていることが好ましい。
【００２３】
この構成によれば、第１の突起部の曲面部は、第１の斜面部に向かって突出するように湾曲している。そのため、当該液体濾過器においてカートリッジがホルダに取り付けられる場合に、曲面部を介して第１の突起部が第１の斜面部を円滑に摺動することができる。つまり、当該液体濾過器においてカートリッジがホルダに取り付けられる場合に、第１の突起部は、カートリッジに対してより円滑に、カートリッジの一端部側から他端部側に向かって第１の斜面部に沿って一端部の周方向に移動することができる。このように、この構成によれば、カートリッジをホルダに容易に取り付けることができる。
【００２４】
本発明に従った液体濾過器において、カートリッジをホルダが蓋をするときに凸状部の第１の斜面部と対向する第１の突起部の端面の一部には、筒状部の長手方向および周方向に対して傾斜し、且つ、第１の斜面部が延びる方向と略平行な方向に延びる傾斜面部が形成されていることが好ましい。
【００２５】
この構成によれば、第１の突起部の傾斜面部は、第１の斜面部が延びる方向と略平行な方向に延びている。そのため、当該液体濾過器においてカートリッジがホルダに取り付けられる場合に、傾斜面部を介して第１の突起部が第１の斜面部を円滑に摺動することができる。つまり、当該液体濾過器においてカートリッジがホルダに取り付けられる場合に、第１の突起部は、カートリッジに対してより円滑に、カートリッジの一端部側から他端部側に向かって第１の斜面部に沿って一端部の周方向に移動することができる。このように、この構成によれば、カートリッジをホルダに容易に取り付けることができる。
【００２６】
本発明に従った液体濾過器において、カートリッジがホルダから取り外されるときに凸状部の第２の斜面部と対向する第２の突起部の端面の一部には、第２の斜面部に向かって突出するように湾曲する曲面部が形成されていることが好ましい。
【００２７】
この構成によれば、第２の突起部の曲面部は、第２の斜面部に向かって突出するように湾曲している。そのため、当該液体濾過器においてカートリッジがホルダから取り外される場合に、曲面部を介して第２の突起部が第２の斜面部を円滑に摺動することができる。つまり、当該液体濾過器においてカートリッジがホルダから取り外される場合に、第２の突起部は、カートリッジに対してより円滑に、カートリッジの他端部側から一端部側に向かって第２の斜面部に沿って一端部の周方向に移動することができる。このように、この構成によれば、カートリッジをホルダから容易に取り外すことができる。
【００２８】
本発明に従った液体濾過器において、カートリッジがホルダから取り外されるときに凸状部の第２の斜面部と対向する第２の突起部の端面の一部には、筒状部の長手方向および周方向に対して傾斜し、且つ、第２の斜面部が延びる方向と略平行な方向に延びる傾斜面部が形成されていることが好ましい。
【００２９】
この構成によれば、第２の突起部の傾斜面部は、第２の斜面部が延びる方向と略平行な方向に延びている。そのため、当該液体濾過器においてカートリッジがホルダから取り外される場合に、傾斜面部を介して第２の突起部が第２の斜面部を円滑に摺動することができる。つまり、当該液体濾過器においてカートリッジがホルダから取り外される場合に、第２の突起部は、カートリッジに対してより円滑に、カートリッジの他端部側から一端部側に向かって第２の斜面部に沿って一端部の周方向に移動することができる。このように、この構成によれば、カートリッジをホルダから容易に取り外すことができる。
【００３０】
本発明に従った液体濾過器において、第１の突起部には、カートリッジをホルダが蓋をするときに凸状部の水平面部が延びる方向と略平行な方向に延びる水平面部が形成されていることが好ましい。
【００３１】
この構成によれば、カートリッジをホルダが蓋をするときに、第１の突起部の水平面部の一端部側面が凸状部の水平面部の他端部側面に沿って移動することにより、第１の突起部は、カートリッジに対してより円滑に周方向に移動することができる。また、この構成によれば、当該液体濾過器においてカートリッジがホルダに連結されているときに、第１の突起部の水平面部が凸状部の水平面部に沿って接触している。これにより、カートリッジの内部の圧力が、ホルダに対してカートリッジが取り外される力として作用することを、より確実に制限することができる。
【００３２】
本発明に従った液体濾過器において、ホルダは、二組の第１の突起部と第２の突起部とを有していることが好ましい。第１の突起部と第２の突起部とは、筒状部の周方向において互い違いに配置されていることが好ましい。ホルダの筒状部は、円筒形状を有していることが好ましい。
【００３３】
この構成によれば、二つの第１の突起部が複数の凸状部の水平面部に接触するため、カートリッジをホルダに安定した状態で固定させることができる。すなわち、この構成によれば、ホルダに対してカートリッジの位置が安定する。また、第１の突起部が一つである場合に比べて、第１の斜面部に対してより円滑に第１の突起部を移動させることができる。第２の突起部が一つである場合に比べて、第２の斜面部に対してより円滑に第２の突起部を移動させることができる。
【００３５】
この構成によれば、当該液体濾過器の使用者がカートリッジをホルダに取り付け始めるときに、第１の突起部または第２の突起部が凸状部の一端側端に接触するような事例が、４パターン存在する。４パターンのうちの２パターンは、第１の突起部が凸状部の一端側端に接触する事例であり、残りの２パターンは、第２の突起部が凸状部の一端側端に接触する事例である。しかしながら、この構成によれば、当該液体濾過器の使用者は、ホルダに対するカートリッジの差込位置を確認せずに第１の突起部または第２の突起部を凸状部の一端側端に接触させるような場合でも、その位置から周方向のどちらか一方に４５度程度カートリッジを回転させた位置を回転開始位置として決定することができる。使用者は、この回転開始位置からカートリッジを回転させ始めることにより、容易にカートリッジをホルダに取り付けることができる。したがって、この構成によれば、ホルダの筒状部に対するカートリッジの一端部の差込位置の自由度を増加させることができる。
【００３６】
本発明に従った液体濾過器において、好ましくは、カートリッジの一端部の外周壁において凸状部よりも一端部側には、シール部材が取り付けられている。ホルダは、筒状部よりも一端部側に配置された他の筒状部を有していることが好ましい。また、好ましくは、第１の斜面部の一端部側端と水平面部の一端部側端との間の寸法ａと、シール部材の一端部側端と他端部側端との間の寸法ｂと、シール部材の他端部側端と第１の斜面部の一端部側端との間の寸法ｃと、他の筒状部の内周壁の他端部側端と第１の突起部の一端部側端との間の寸法ｄとの間に、ａ＋ｃ≧ｄ、ａ≧ｂ、および、ｃ≦ｄの関係が成り立つ。
【００３７】
この構成によれば、ホルダとカートリッジとの間のシール性を確保することができるため、ホルダとカートリッジとの間に液体が漏れることを防止することができる。一方、当該液体濾過器の使用者がカートリッジをホルダに取り付ける場合には、シール部材がホルダの他の筒状部に装着されるときに、他の筒状部とシール部材との間に摩擦力による抵抗が生じる。しかしながら、この構成によれば、ホルダとシール部材との間に抵抗が生じるときに、カートリッジの一端部側から他端部側に向かって第１の斜面部の下方側面に沿って一端部の周方向に第１の突起部を移動させることができる。このように、使用者は、ホルダとシール部材との間に抵抗が生じるときに、第１の斜面部を利用して第１の突起部を移動させることができる。そのため、使用者は、当該抵抗に打ち勝つ程度の力を発揮するために、極端に大きな力を入れる必要が無い。つまり、使用者は、あまり力を入れずにホルダにカートリッジを取り付けることができる。
【００３８】
本発明に従った液体濾過器において、カートリッジの一端部には、シール部材の一端部側に他のシール部材が配置されていることが好ましい。また、他のシール部材の一端部側端と他端部側端との間の寸法は、シール部材の一端部側端と他端部側端との間の寸法と同一であることが好ましい。
【００３９】
この構成によれば、シール部材と他のシール部材とによって、ホルダとカートリッジとの間に液体が漏れることをさらに防止することができる。また、この構成によれば、ホルダとシール部材との間、および、ホルダと他のシール部材との間に抵抗が生じるときに、カートリッジの一端部側から他端部側に向かって第１の斜面部に沿って一端部の周方向に第１の突起部を移動させることができる。そのため、当該液体濾過器の使用者は、あまり力を入れずにホルダにカートリッジを取り付けることができる。
【発明の効果】
【００４０】
以上のように、本発明によれば、液体を濾過するためのカートリッジと、当該カートリッジに蓋をするためのホルダとを備えた液体濾過器であって、ホルダからカートリッジを容易に取り外すことができ、且つ、ホルダからカートリッジが外れることが防止された液体濾過器を提供することができる。
【図面の簡単な説明】
【００４１】
【図１】本発明に係る液体濾過器の全体を示す斜視図である。
【図２】本発明に係る液体濾過器の全体を示す正面図である。
【図３】本発明に係る液体濾過器の全体を示す平面図である。
【図４】図３のＩＶ−ＩＶ線の断面図である。
【図５】図３のＶ−Ｖ線の断面図である。
【図６】本発明に係る液体濾過器のカートリッジの全体を示す平面図である。
【図７】カートリッジの凸状部を示す斜視図である。
【図８】本発明に係る液体濾過器のホルダの全体を示す底面図である。
【図９】（Ａ）は、ホルダの筒状部の第１の突起部と第２の突起部とを示す斜視図であり、（Ｂ）は（Ａ）のＢ−Ｂ線の断面図である。
【図１０】カートリッジの一端部とホルダの筒状部とを示す図であって、筒状部の第１の突起部が第１の斜面部を摺動する前の状態を示す図である。
【図１１】カートリッジの一端部とホルダの筒状部とを示す図であって、筒状部の第１の突起部の一端側端が第１の斜面部に接触する状態を示す図である。
【図１２】カートリッジの一端部とホルダの筒状部とを示す図であって、筒状部の第１の突起部が第１の斜面部の他端側端から水平面部を移動する状態を示す図である。
【図１３】カートリッジの一端部とホルダの筒状部とを示す図であって、筒状部の第１の突起部が水平面部に嵌合することによってホルダに対してカートリッジが取り付けられた状態を示す図である。
【図１４】カートリッジの一端部とホルダの筒状部とを示す図であって、筒状部の第２の突起部が第２の斜面部を摺動する前の状態を示す図である。
【図１５】カートリッジの一端部とホルダの筒状部とを示す図であって、筒状部の第２の突起部が第２の斜面部を摺動する状態を示す図である。
【図１６】カートリッジの一端部とホルダの筒状部とを示す図であって、筒状部の第２の突起部が第２の斜面部を摺動することによってホルダに対してカートリッジが取り外された状態を示す図である。
【図１７】本発明に係る液体濾過器のホルダに形成された第１の突起部の変形例を概略的に示す図である。
【図１８】本発明に係る液体濾過器のホルダに形成された第２の突起部の変形例を概略的に示す図である。
【図１９】本発明に係る液体濾過器のホルダに形成された第１の突起部および第２の突起部の変形例を概略的に示す図である。
【発明を実施するための形態】
【００４２】
以下、本発明の実施の形態を図面に基づいて説明する。
【００４３】
（第１実施形態）
図１に、液体の処理として液体を濾過する液体濾過器の一例としての浄水器用のフィルタアセンブリ１００を示す。フィルタアセンブリ１００は、液体としての水を濾過するためのカートリッジ１９０と、カートリッジ１９０の一端部に連結されるホルダ１１０とを備えている。なお、以下において、カートリッジ１９０の一端部とは、例えば図２に示すようにカートリッジ１９０に対してホルダ１１０が上方に取り付けられることを仮定することにより、カートリッジ１９０の上端部のことをいう。一方、カートリッジ１９０の他端部とは、カートリッジ１９０の下端部のことをいう。そのため、フィルタアセンブリ１００において、一端部側とは上方を指し、他端部側とは下方を指している。
【００４４】
フィルタアセンブリ１００の上下左右等の方向は、図示しない浄水器においてフィルタアセンブリ１００が配置される姿勢に応じて変化する。同様に、浄水器においてフィルタアセンブリ１００が配置される姿勢に応じて、カートリッジ１９０の一端と他端とは、それぞれ、例えば、左端と右端とであったり、下端と上端とであったりする。また、浄水器においてフィルタアセンブリ１００が配置される姿勢に応じて、ホルダ１１０の一端と他端とは、それぞれ、例えば、左端と右端とであったり、下端と上端とであったりする。
【００４５】
図２に示すように、ホルダ１１０は、筒状部の一例としての外筒部１１１と、外筒部１１１の上方に配置される内筒部１１２とを有している。内筒部１１２は、他の筒状部の一例である。外筒部１１１は、ホルダ１１０の下部に配置されている。図２と図３とを参照するように、外筒部１１１と内筒部１１２とは、円筒形状を有している。外筒部１１１の中心と内筒部１１２の中心とは一致しており、中心Ｃ１（図８参照）である。ホルダ１１０の上部には、管状部材１２０が配置されている。管状部材１２０は、流入部１２１と流出部１２２とを有している。
【００４６】
図４と図５と図８とを参照するように、内筒部１９３は、内周壁１１２ｗの下端の位置が外筒部１１１の天井面１１１ｃの位置と略一致するように、外筒部１１１に接続されている。一方、図４と図５とを参照するように、カートリッジ１９０は、濾材１８０を収容する収容部１９１と、上端部とを有している。カートリッジ１９０の一端部としての上端部は、外筒部１９２と内筒部１９３と嵌合部１９４と嵌合部１９５とを有している。収容部１９１は、カートリッジ１９０の下端部を含むように構成されている。
【００４７】
収容部１９１は、円筒形状を有している。収容部１９１の底部は閉口している。収容部１９１の内部には、濾材１８０の収容空間１８２が形成されている。液体としての水をフィルタアセンブリ１００が濾過する場合には、収容空間１８２に水が満たされている。濾材１８０は、収容部１９１の内周面１８１との間に所定の間隔を隔てて配置されている。濾材１８０は、例えば中空糸フィルタによって形成されている。濾材１８０は、着脱自在にカートリッジ１９０の上端部に取り付けられている。
【００４８】
カートリッジ１９０において、収容部１９１、外筒部１９２、内筒部１９３、嵌合部１９４、および、嵌合部１９５により、筒部が構成されている。また、カートリッジ１９０において、外筒部１９２、内筒部１９３、嵌合部１９４、および、嵌合部１９５は、互いに一体である。一体である外筒部１９２、内筒部１９３、嵌合部１９４、および、嵌合部１９５のうち、嵌合部１９５の上端には、カートリッジ１９０の内部から水を流出させる流出口１９２ｂが形成されている。このように、カートリッジ１９０は、上端部が開口し且つ下端部が閉口した筒部を有している。
【００４９】
嵌合部１９５と嵌合部１９４と内筒部１９３と外筒部１９２とは、それぞれ中心Ｃ２（図６参照）を中心とする円筒形状を有している。嵌合部１９５の外周壁には、他のシール部材の一例としてのＯリング６３とＯリング６４とが取り付けられている。Ｏリング６３とＯリング６４とは、それぞれ同一のものである。Ｏリング６３とＯリング６４とが取り付けられた嵌合部１９５の上方および外周壁の外方を、円柱状の鞘部１２３が覆うことにより、鞘部１２３と嵌合部１９５との間が密閉される。鞘部１２３は、管状部材１２０（つまり、ホルダ１１０の上部）から下方に延びている。
【００５０】
図５と図６とを参照するように、嵌合部１９４は、中心Ｃ２を中心とする円の半径方向の外方に、嵌合部１９５からフランジ状に延びた部分である。図６に示すように、嵌合部１９４の上面１９６には、複数の開口１９２ａが形成されている。管状部材１２０の流入部１２１を流れる水は、開口１９２ａを通ることによって、カートリッジ１９０の内部に流入する。内筒部１９３は、中心Ｃ２を中心とする円の半径方向の外方に、嵌合部１９４からフランジ状に延びた部分である。嵌合部１９４の外周壁には、シール部材の一例としてのＯリング６１とＯリング６２とが取り付けられている（図５参照）。Ｏリング６１とＯリング６２とは、それぞれ同一のものである。Ｏリング６１，６２，６３，６４は、ゴム等の弾性部材によって形成されている。
【００５１】
内筒部１９３は、中心Ｃ２を中心とする円の半径方向の外方に、嵌合部１９４からフランジ状に延びた部分である。外筒部１９２は、中心Ｃ２を中心とする円の半径方向の外方に、内筒部１９３からフランジ状に延びた部分である。外筒部１９２と収容部１９１とは、互いに着脱自在に固定されている。なお、ホルダ１１０の中心Ｃ１とカートリッジ１９０の中心Ｃ２とは、ホルダ１１０にカートリッジ１９０が嵌め合わされたときに一致する。
【００５２】
ここでは、図４と図５とを参照して、カートリッジ１９０に流入する水の流れと、カートリッジ１９０から流出する水の流れとを説明する。
【００５３】
水道水または井戸水等の被浄化対象水は、流入口１２１ａを介して流入部１２１に流入する。流入部１２１を流れる水は、連通口１２１ｂを通ることによってホルダ１１０の内部に流入する。連通口１２１ｂは、流入部１２１の内部と、ホルダ１１０の内筒部１１２の内部とを連通させる。内筒部１１２の内部に流入した水は、カートリッジ１９０の開口１９２ａを通ることによって収容空間１８２まで流れる。
【００５４】
収容空間１８２において濾材１８０に濾過された水は、濾材１８０の上側からカートリッジ１９０の外部に流出する。このとき、濾過された水は、流出口１９２ｂを介して流出部１２２まで流れる。流出部１２２の内部とホルダ１１０の内部とは、連通口１２４によって連通されている。流出口１９２ｂを通った水は、さらに連通口１２４を通ることにより、流出部１２２の内部に流出する。流出部１２２を流れる濾過水は、流出口１２２ｂを介してフィルタアセンブリ１００の外部に流出する。
【００５５】
フィルタアセンブリ１００は、ホルダ１１０の内筒部１１２の内周壁１１２ｗ（図８参照）と、カートリッジ１９０の嵌合部１９４との間をシールするＯリング６１とＯリング６２とを備えている。Ｏリング６１とＯリング６２とにより、フィルタアセンブリ１００に流入する水が、ホルダ１１０とカートリッジ１９０との間から漏れることを防止している。また、フィルタアセンブリ１００は、ホルダ１１０の鞘部１２３と、カートリッジ１９０の嵌合部１９５との間をシールするＯリング６３とＯリング６４とを備えている。Ｏリング６３とＯリング６４とにより、カートリッジ１９０からホルダ１１０に流出する水と、ホルダ１１０からカートリッジ１９０に流入する水とが混合されることが防止されている。
【００５６】
なお、Ｏリング６１，６２が取り付けられた嵌合部１９４と、Ｏリング６３，６４が取り付けられた嵌合部１９５とは一体である。嵌合部１９４と嵌合部１９５とが一体であるカートリッジ１９０に、Ｏリング６１，６２と、Ｏリング６３，６４とが取り付けられているため、上記の二箇所の水漏れをより効果的に防止することができる。
【００５７】
カートリッジ１９０は、凸状部８０を有している。図６と図７とを参照するように、凸状部８０は、内筒部１９３の外周壁から半径方向の外方に突出するように、内筒部１９３の外周壁に形成されている。図７に示すように、凸状部８０は、第１の斜面部の一例としての取り付け側の斜面部８１と、水平面部８２と、第２の斜面部の一例としての取り外し用の斜面部８４とを有している。凸状部８０において、斜面部８１と水平面部８２と斜面部８４とは一体である。また、斜面部８１と水平面部８２とは、凸状部８０において連続している。後述するように、斜面部８１は、ホルダ１１０にカートリッジ１９０が取り付けられる場合に機能するため、取り付け用の斜面部である（図１０参照）。一方、斜面部８４は、ホルダ１１０に対してカートリッジ１９０が取り外される場合に機能するため、取り外し用の斜面部である（図１４参照）。
【００５８】
斜面部８１は、内筒部１９３の外周壁から突出するとともに、内筒部１９３の円周方向の第１の方向に沿って、上方から下方に向かって斜めに延びている。斜面部８１の上端７９は、嵌合部１９４の下端よりも下方に配置されている。斜面部８１の下端７８は、外筒部１９２の上面１９７よりも上方に配置されている。斜面部８１の下端７８は、水平面部８２の上端７８と一致している。斜面部８１は、内筒部１９３の外周壁において、上端７９から下端７８まで延びている。斜面部８１の上端７９の位置は第１の位置の一例であって、下端７８の位置は第２の位置の一例である。
【００５９】
水平面部８２は、内筒部１９３の外周壁から突出するとともに、斜面部８１の下端７８から終端７５まで、内筒部１９３の円周方向の第１の方向に沿って水平方向に延びている。第３の位置の一例としての終端７５は、後述するストッパ面８３よりも、第１の方向の後方に配置されている。なお、内筒部１９３の円周方向の第１の方向とは、概略的に図７の右方から左方に向かう方向をいう。
【００６０】
斜面部８４は、内筒部１９３の外周壁から突出するとともに、内筒部１９３の円周方向の第１の方向に沿って上方から下方に向かって斜めに延びている。斜面部８４は、内筒部１９３の外周壁において、上端７６から下端７７まで延びている。斜面部８４の上端７６の位置は第４の位置の一例であって、下端７７の位置は第５の位置の一例である。第４の位置としての上端７６は、第３の位置としての終端７５よりも上方に配置されている。また、上端７６は、内筒部１９３の円周方向において、図７に示すように終端７５よりも第１の方向の前方に配置されている。しかしながら、内筒部１９３の円周方向に沿った上端７６の位置と終端７５の位置とは、略一致していてもよい。このように、斜面部８４は、内筒部１９３の円周方向において水平面部８２が配置される位置とは異なる位置から、内筒部１９３の円周方向に沿って上方から下方に向かって斜めに、内筒部１９３の円周方向の第１の方向において斜面部８１が配置される位置とは異なる位置まで延びている。さらに、斜面部８４は、斜面部８１が配置される位置よりも下方に配置されている。斜面部８４は、内筒部１９３の円周方向において水平面部８２が配置される位置とは異なる位置であって斜面部８１が配置される位置よりも下側から、内筒部１９３の円周方向の第１の方向に沿って上方から下方に向かって斜めに延びている。
【００６１】
凸状部８０において、水平面部８２よりも内筒部１９３の円周方向の第１の方向の前方には、ストッパ面８３が形成されている。上下方向に沿ったストッパ面８３の上端の位置は、水平面部８２の位置と一致していてもよい。つまり、ストッパ面８３の上端の位置は、終端７５の位置と一致していてもよい。あるいは、上下方向に沿ったストッパ面８３の上端の位置は、図７に示すように水平面部８２の位置よりも下方であってもよい。上下方向に沿ったストッパ面８３の上端の位置を含むストッパ面８３の形状は、カートリッジ１９０をホルダ１１０が蓋をするときに斜面部８１と対向する突起部１０（図９参照）の端面の形状に合わせて形成されていればよい（図１３参照）。
【００６２】
一方、ホルダ１１０は、図８，９を参照するように、第１の突起部の一例としての突起部１０と、第２の突起部としての突起部３０とを有している。突起部１０は、外筒部１１１の内周壁１１１ｗから半径方向の内方に突出している。図８に示すように、突起部３０は、外筒部１１１の円周方向において突起部１０が配置される位置とは異なる位置に配置されている。突起部３０は、内周壁１１１ｗから半径方向の内方に突出している。図９に示すように、上下方向に沿った突起部１０の下端面の位置と突起部３０の下端面の位置とは、外筒部１１１の底面１１１ｄの位置と一致している。また、上下方向に沿った突起部１０の上端１１ｐの位置は、曲面部１１の上端の位置および水平面部１２の位置と一致している。
【００６３】
後述するように、突起部１０は、ホルダ１１０にカートリッジ１９０が取り付けられる場合に機能するため、取り付け用の突起部である。一方、突起部３０は、ホルダ１１０に対してカートリッジ１９０が取り外される場合に機能するため、取り外し用の突起部である。
【００６４】
外筒部１１１の外周面には、位置合わせ用の目印９１が配置されている（図９（Ａ）参照）。目印９１は、例えば逆三角形状を有している。一方、カートリッジ１９０の内筒部１９３の外周壁には、位置合わせ用の目印９２が配置されている（図７参照）。目印９２は、例えば三角形状を有している。使用者は、下方を向く目印９１の頂点の位置と上方を向く目印９２の頂点の位置とを合わせることにより、ホルダ１１０にカートリッジ１９０を取り付け始めるときに、所定の位置合わせ容易に実行することができる。
【００６５】
図９（Ｂ）に示すように、目印９１の表面９１ｓは、外筒部１１１の外周壁の表面１１１ｓに対して、同一面を形成している。目印９１のうち、表面９１ｓと表面１１１ｓとの間の部分には、溝９１ｄが形成されている。一方、カートリッジ１９０の目印９２も、内筒部１９３の外周壁の表面に対して同様に形成されている。このような構成により、目印９１，９２の視認性を向上させることができる。
【００６６】
図８に示すように、ホルダ１１０は、二組の突起部１０と突起部３０とを有している。外筒部１１１の内周壁１１１ｗの円周方向において突起部１０と突起部３０とが互い違いに配置されている。ホルダ１１０の外筒部１１１は、円筒形状を有している（図１と図２とを参照）。外筒部１１１の円周方向に沿った突起部１０の幅Ｗ10と、外筒部１１１の円周方向に沿った突起部３０の幅Ｗ30とは、それぞれ外筒部１１１の中心角が４５度である円弧の長さ以下である。図８に示すように、中心角θ1と中心角θ3とは、４５度以下である。また、外筒部１１１において互いに隣り合う突起部１０と突起部３０との外筒部１１１の円周方向に沿った間隔は、中心角が４５度である円弧の長さよりも大きい。図８に示すように、中心角θ2は、４５度よりも大きい。一方、カートリッジ１９０は、二つの凸状部８０を有している（図６参照）。二つの凸状部８０は、内筒部１９３において、等間隔に配置されている。
【００６７】
次に、以下では、ホルダ１１０に対するカートリッジ１９０の回転、つまり、カートリッジ１９０がホルダ１１０に取り付けられるときの凸状部８０に対する突起部１０の移動について、図１０〜１３を用いて説明する。
【００６８】
図１０に示すように、使用者は、ホルダ１１０に対してカートリッジ１９０を取り付ける場合に、外筒部１１１の円周方向において、目印９１の下方の頂点の位置と目印９２の上方の頂点の位置とを略一致させる。外筒部１１１の円周方向において、目印９１の下方の頂点の位置と目印９２の上方の頂点の位置とが略一致された位置は、ホルダ１１０にカートリッジ１９０を取り付けるための回転開始位置として最適な位置である。図１０に示すホルダ１１０とカートリッジ１９０との状態は、上下方向に沿った水平面部１２の位置（つまり突起部１０の上端１１ｐの位置）と、上下方向に沿った斜面部８１の上端７９の位置とが略同一である状態である。
【００６９】
突起部１０の端面の一部には、斜面部８１に向かって突出するように湾曲する曲面部１１が形成されている。曲面部１１が形成された端面は、カートリッジ１９０をホルダ１１０が蓋をするときに斜面部８１と対向する。また、突起部１０には、水平面部１２が形成されている。水平面部１２が延びる方向は、カートリッジ１９０をホルダ１１０が蓋をするときに、凸状部８０の水平面部８２が延びる方向と略平行な方向である。
【００７０】
Ｏリング６１とＯリング６２とは、凸状部８０よりも上方に配置されている。斜面部８１の上端７９と水平面部８２の上端７８との間の寸法ａと、Ｏリング６２の上端とＯリング６１の下端との間の寸法ｂと、Ｏリング６１の下端と斜面部８１の上端７９との間の寸法ｃと、内筒部１１２の内周壁１１２ｗの下端と突起１０の上端１１ｐとの間の寸法ｄとの間に、ａ＋ｃ≧ｄ、ａ≧ｂ、および、ｃ≦ｄの関係が成り立つ。なお、上述したように、内周壁１１２ｗの下端の位置は、外筒部１１１の天井面１１１ｃの位置と略一致している。
【００７１】
Ｏリング６３とＯリング６４とは、Ｏリング６２の上方に配置されている。また、Ｏリング６４の上端とＯリング６３の下端と間の寸法ｂは、Ｏリング６２の上端とＯリング６１の下端との間の寸法ｂと同一である。つまり、斜面部８１の上端７９と水平面部８２の上端７８との間の寸法ａと、Ｏリング６４の上端とＯリング６３の下端との間の寸法ｂと、Ｏリング６１の下端と斜面部８１の上端７９との間の寸法ｃと、内周壁１１２ｗの下端と突起１０の上端１１ｐとの間の寸法ｄとの間に、ａ＋ｃ≧ｄ、ａ≧ｂ、および、ｃ≦ｄの関係が成り立つ。
【００７２】
回転開始位置からカートリッジ１９０を回転させることにより、ホルダ１１０に対するカートリッジ１９０の嵌め合いが進行する。図１０に示すホルダ１１０とカートリッジ１９０との状態から、図１１に示すＲ１方向にカートリッジ１９０を回転させる場合に、曲面部１１は、斜面部８１の上端７９よりも下方の部分に接触する。Ｒ１方向の回転が続けられることにより、曲面部１１は、外筒部１９２の円周方向に沿って上方から下方に向かって斜めに移動する。このとき、曲面部１１は、斜面部８１の下方側面に沿って摺動するため、上方から下方に向かって斜めに円滑に移動することができる。
【００７３】
なお、図１０に示す上下方向に沿った外筒部１９２に対する外筒部１１１の底面１１１ｄ（図９（Ａ）参照）の位置と、図１１に示す上下方向に沿った外筒部１９２に対する外筒部１１１の底面１１１ｄの位置とは、互いに略同一である。
【００７４】
さらにＲ１方向の回転が進むことにより、曲面部１１は、斜面部８１の下端７８（つまり水平面部８２の上端７８）よりも下方の位置まで移動する（図１２参照）。この位置からさらにＲ１方向の回転が進む場合に、斜面部８１の下端に曲面部１１が接触しながら凸状部８０に対して突起部１０が移動することにより、曲面部１１が水平面部８２の下方に容易に移動する。
【００７５】
凸状部８０に対して曲面部１１が水平面部８２の下方にまで移動した後に、さらにＲ１方向の回転が進むことによって、水平面部１２が水平面部８２の下方側面に沿って外筒部１９２の円周方向に移動する。水平面部１２の全体が水平面部８２の下方に配置される位置において、ホルダ１１０とカートリッジ１９０とが嵌め合わされる（図１３参照）。凸状部８０に対する突起部１０の移動は、例えば曲面部１１の先端がストッパ面８３に接触する位置において制限される。
【００７６】
図１３に示すように、外筒部１１１の円周方向に沿った水平面部１２の外周面の幅は、内筒部１９３の円周方向に沿った水平面部８２の下方側面の幅と略同一である。外筒部１１１の円周方向に沿った水平面部１２の外周面の幅は、内筒部１９３の円周方向に沿った水平面部８２の下方側面の幅以上であることが好ましい。このような大小関係により、ホルダ１１０に対してカートリッジ１９０をより安定した状態で固定させることができる。
【００７７】
次に、以下では、カートリッジ１９０がホルダ１１０から取り外されるときの凸状部８０に対する突起部３０の移動、つまり、カートリッジ１９０がホルダ１１０から取り外されるときのホルダ１１０に対するカートリッジ１９０の回転について、図１４〜１６を用いて説明する。
【００７８】
図１４に示すホルダ１１０とカートリッジ１９０との状態は、図１３に示すホルダ１１０とカートリッジ１９０との状態と同様に、突起部１０の水平面部１２が水平面部８２の下方に配置された状態である。
【００７９】
カートリッジ１９０がホルダ１１０に連結された状態において、内筒部１９３の円周方向に沿った斜面部８４の上方側面と突起部３０の下端との間隔は、外筒部１１１の円周方向に沿った水平面部１２の外周面の幅よりも大きい。あるいは、カートリッジ１９０がホルダ１１０に連結された状態において、内筒部１９３の円周方向に沿った斜面部８４の上方側面と突起部３０の下端との間隔は、円筒部１９３の円周方向に沿った水平面部８２の下方側面の幅よりも大きい。このような構成により、水平面部１２が水平面部８２の下方側面から完全に離れた後に、突起部３０が斜面部８４の上方側面に乗り上げることができる。
【００８０】
カートリッジ１９０がホルダ１１０に連結された状態からカートリッジ１９０をＲ２方向（図１５参照）に回転させることにより、ホルダ１１０に対するカートリッジ１９０の取り外しが進行する。図１５に示すように、突起部３０の端面の一部には、斜面部８４に向かって突出するように湾曲する曲面部３１が形成されている。曲面部３１が形成された端面は、カートリッジ１９０がホルダ１１０から取り外されるときに凸状部８０の斜面部８４と対向する。図１４に示すホルダ１１０とカートリッジ１９０との状態から、図１５に示すＲ２方向にカートリッジ１９０を回転させた場合に、突起部３０は、下端７７よりも上方において斜面部８４に乗り上げる。斜面部８４の下端７７は、外筒部１９２の上面１９７に配置されている。このとき、水平面部１２の全体は、水平面部８２の位置から外れている。
【００８１】
Ｒ２方向の回転がさらに続けられることにより、突起部３０の曲面部３１が斜面部８４の上方側面に沿って内筒部１９３の円周方向に沿って下方から上方に向かって斜めに移動する。このとき、曲面部３１が斜面部８４に沿って摺動するため、突起部３０は、下方から上方に向かって斜めに円滑に移動することができる。
【００８２】
なお、図示は省略するが、図１４と図１５とに示す突起部１０および突起部３０の下端（つまり、ホルダ１１０の外筒部１１１の底面１１１ｄ）と、斜面部８４の上端７６との間の上下方向に沿った寸法は、上述したＯリング６２の上端とＯリング６１の下端との間の寸法ｂ以上の寸法である。これにより、使用者は、あまり力を入れずに、カートリッジ１９０をホルダ１１０から容易に取り外すことができる。
【００８３】
さらにＲ２方向の回転が進むことにより、曲面部３１は、斜面部８４の上端７６よりも上方の位置まで移動する（図１６参照）。この位置においては、鞘部１２３がＯリング６３，６４との嵌合を解消し、内筒部１１２がＯリング６１，６２との嵌合を解消している。このようにして、ホルダ１１０に対してカートリッジ１９０が取り外される。
【００８４】
以上のように、第１実施形態に係るフィルタアセンブリ１００は、水を濾過するためのカートリッジ１９０と、ホルダ１１０とを備えた液体処理器である。カートリッジ１９０は、上端部が開口し且つ下端部が閉口した筒部として、収容部１９１と外筒部１９２と内筒部１９３と嵌合部１９４と嵌合部１９５とを有している。ホルダ１１０は、外筒部１１１を有し、カートリッジ１９０の上端部に連結される。
【００８５】
ホルダ１１０は、突起部１０と突起部３０とを有している。突起部１０は、外筒部１１１の内周壁１１１ｗから半径方向の内方に突出している。突起部３０は、外筒部１１１の円周方向において突起部１０が配置される位置とは異なる位置に配置され、内周壁１１１ｗから半径方向の内方に突出している。
【００８６】
カートリッジ１９０は、上端部のうちの内筒部１９３の外周壁から半径方向の外方に突出する凸状部８０を有している。凸状部８０は、斜面部８１と、水平面部８２と、斜面部８４とを有している。斜面部８１は、内筒部１９３の外周壁から突出するとともに、上端７９から下端７８まで、内筒部１９３の円周方向の第１の方向に沿ってカートリッジ１９０の上端部から下端部に向かって斜めに延びている。水平面部８２は、内筒部１９３の外周壁から突出するとともに、下端７８から終端７５まで、内筒部１９３の円周方向の第１の方向に沿って水平方向に延びている。斜面部８４は、内筒部１９３の外周壁から突出するとともに、上端７６から下端７７まで、内筒部１９３の円周方向の第１の方向に沿って上端部から下端部に向かって斜めに延びている。
【００８７】
フィルタアセンブリ１００においてカートリッジ１９０がホルダ１１０に取り付けられる場合に、突起部１０は、カートリッジ１９０の上側から下側に向かって、斜面部８１の下方側面に沿って内筒部１９３の円周方向の第１の方向に円滑に移動する。また、突起部１０は、斜面部８１の下端から水平面部８２の下方側面に沿って円周方向にさらに移動することにより、水平面部８２の下方側面に配置される。これにより、ホルダ１１０の外筒部１１１の内周壁１１１ｗに、カートリッジ１９０の内筒部１９３が連結される。このようにして、カートリッジ１９０とホルダ１１０とが互いに固定される。
【００８８】
フィルタアセンブリ１００において、カートリッジ１９０とホルダ１１０とが固定された状態では、突起部１０は、凸状部８０の水平面部８２に接触している。そのため、螺旋構造による連結とは異なり、カートリッジ１９０の内部の圧力が、ホルダ１１０に対してカートリッジ１９０が回転する力に変換されることが無い。つまり、フィルタアセンブリ１００によれば、ホルダ１１０からカートリッジ１９０が外れることが防止されている。さらに、螺旋構造をカートリッジ１９０の上端部とホルダ１１０の外筒部１１１との間に構成する場合に比べて、ホルダ１１０およびカートリッジ１９０の金型の構造を簡素化できる。そのため、ホルダ１１０およびカートリッジ１９０の成形のサイクルタイムを短縮させることができる。
【００８９】
また、フィルタアセンブリ１００においてカートリッジ１９０がホルダ１１０から取り外される場合に、突起部１０は、水平面部８２の下方側面に沿って円周方向に移動する。一方、この場合に、突起部３０は、内筒部１９３の円周方向に沿って下方から上方に向かって斜めに、斜面部８４の上方側面を円滑に摺動する。これにより、カートリッジ１９０をホルダ１１０から容易に取り外すことができる。
【００９０】
なお、この場合に、突起部３０は、斜面部８４の下端７７よりも上方から上端７６まで移動する。つまり、突起部３０は、内筒部１９３の円周方向において斜面部８１が配置される位置とは異なる位置から、内筒部１９３の円周方向において水平面部８２が配置される位置とは異なる位置まで移動する。このように構成されているので、フィルタアセンブリ１００において突起部１０が水平面部８２に接触している場合には、突起部３０が斜面部８４に接触しない。したがって、カートリッジ１９０の内部の圧力が、カートリッジ１９０に対してホルダ１１０が回転する力に変換されることが無い。つまり、フィルタアセンブリ１００によれば、ホルダ１１０からカートリッジ１９０が外れることが防止されている。
【００９１】
フィルタアセンブリ１００において、カートリッジ１９０をホルダ１１０が蓋をするときに凸状部８０の斜面部８１と対向する突起部１０の端面の一部には、斜面部８１に向かって突出するように湾曲する曲面部１１が形成されている。
【００９２】
この構成によれば、曲面部１１は、斜面部８１に向かって突出するように湾曲している。そのため、フィルタアセンブリ１００においてカートリッジ１９０がホルダ１１０に取り付けられる場合に、曲面部１１を介して突起部１０が斜面部８１を円滑に摺動することができる。つまり、フィルタアセンブリ１００においてカートリッジ１９０がホルダ１１０に取り付けられる場合に、突起部１０は、カートリッジ１９０に対してより円滑に、カートリッジ１９０の上側から下側に向かって斜面部８１に沿って内筒部１９３の円周方向に移動することができる。このように、この構成によれば、カートリッジ１９０をホルダ１１０に容易に取り付けることができる。
【００９３】
フィルタアセンブリ１００において、カートリッジ１９０がホルダ１１０から取り外されるときに凸状部８０の斜面部８４と対向する突起部３０の端面の一部には、斜面部８４に向かって突出するように湾曲する曲面部３１が形成されている。
【００９４】
この構成によれば、曲面部３１は、斜面部８４に向かって突出するように湾曲している。そのため、フィルタアセンブリ１００においてカートリッジ１９０がホルダ１１０から取り外される場合に、曲面部３１を介して突起部３０が斜面部８４を円滑に摺動することができる。つまり、フィルタアセンブリ１００においてカートリッジ１９０がホルダ１１０から取り外される場合に、突起部３０は、カートリッジ１９０に対してより円滑に、カートリッジ１９０の下側から上側に向かって斜面部８４に沿って内筒部１９３の円周方向に移動することができる。このように、この構成によれば、カートリッジ１９０をホルダ１１０から容易に取り外すことができる。
【００９５】
フィルタアセンブリ１００において、突起部１０には、カートリッジ１９０をホルダ１１０が蓋をするときに凸状部８０の水平面部８２が延びる方向と略平行な方向に延びる水平面部１２が形成されている。
【００９６】
この構成によれば、カートリッジ１９０をホルダ１１０が蓋をするときに、突起部１０の水平面部１２の上方側面が凸状部８０の水平面部８２の下方側面に沿って移動することにより、突起部１０は、カートリッジ１９０に対してより円滑に周方向に移動することができる。また、この構成によれば、フィルタアセンブリ１００においてカートリッジ１９０がホルダ１１０に連結されているときに、水平面部１２が水平面部８２に沿って接触している。これにより、カートリッジ１９０の内部の圧力が、ホルダ１１０に対してカートリッジ１９０が取り外される力として作用することを、より確実に制限することができる。
【００９７】
フィルタアセンブリ１００において、ホルダ１１０は、二組の突起部１０と突起部３０とを有している。突起部１０と突起部３０とは、外筒部１１１の円周方向において互い違いに配置されている。カートリッジ１９０は、二つの凸状部８０を有している。
【００９８】
この構成によれば、二つの突起部１０が二つの水平面部８２に接触するため、カートリッジ１９０をホルダ１１０に安定した状態で固定させることができる。すなわち、この構成によれば、ホルダ１１０に対してカートリッジ１９０の位置が安定する。また、突起部１０が一つである場合に比べて、斜面部８１に対してより円滑に突起部１０を移動させることができる。突起部３０が一つである場合に比べて、斜面部８４に対してより円滑に突起部３０を移動させることができる。
【００９９】
ホルダ１１０の外筒部１１１は、円筒形状を有している。また、フィルタアセンブリ１００において、外筒部１１１の円周方向に沿った突起部１０の幅Ｗ10と、外筒部１１１の円周方向に沿った突起部３０の幅Ｗ30とは、それぞれ外筒部１１１の中心角が４５度である円弧の長さ以下である。さらに、外筒部１１１において互いに隣り合う突起部１０と突起部３０との外筒部１１１の円周方向に沿った間隔は、中心角が４５度である円弧の長さよりも大きい。
【０１００】
この構成によれば、フィルタアセンブリ１００の使用者がカートリッジ１９０をホルダ１１０に取り付け始めるときに、突起部１０または突起部３０が凸状部８０の上端に接触するような事例が、４パターン存在する。４パターンのうちの２パターンは、突起部１０が凸状部８０の上端に接触する事例であり、残りの２パターンは、突起部３０が凸状部８０の上端に接触する事例である。しかしながら、この構成によれば、使用者は、ホルダ１１０に対するカートリッジ１９０の差込位置を確認せずに突起部１０または突起部３０を凸状部８０の上端に接触させるような場合でも、その位置から周方向のどちらか一方に４５度程度カートリッジを回転させた位置を回転開始位置として決定することができる。使用者は、この回転開始位置からカートリッジ１９０を回転させ始めることにより、容易にカートリッジ１９０をホルダ１１０に取り付けることができる。したがって、この構成によれば、ホルダ１１０の外筒部１１１に対するカートリッジ１９０の上端部の差込位置の自由度を増加させることができる。
【０１０１】
カートリッジ１９０の上端部の外周壁において凸状部８０よりも上方の嵌合部１９４には、Ｏリング６１，６２が取り付けられている。また、斜面部８１の上端７９と水平面部８２の上端７８との間の寸法ａと、Ｏリング６２の上端とＯリング６１の下端との間の寸法ｂと、Ｏリング６１の下端と斜面部８１の上端７９との間の寸法ｃと、内周壁１１２ｗの下端と突起１０の上端１１ｐとの間の寸法ｄとの間に、ａ＋ｃ≧ｄ、ａ≧ｂ、および、ｃ≦ｄの関係が成り立つ。
【０１０２】
この構成によれば、ホルダ１１０とカートリッジ１９０との間のシール性を確保することができるため、ホルダ１１０とカートリッジ１９０との間に水が漏れることを防止することができる。一方、使用者がカートリッジ１９０をホルダ１１０に取り付ける場合には、Ｏリング６１，６２がホルダ１１０の内周壁１１２ｗに装着されるときに、内周壁１１２ｗとＯリング６１，６２との間に摩擦力による抵抗が生じる。しかしながら、この構成によれば、ホルダ１１０とＯリング６１，６２との間に抵抗が生じるときに、上方から下方に向かって斜面部８１の下方側面に沿って内筒部１９３の円周方向に突起部１０を移動させることができる。このように、使用者は、ホルダ１１０とＯリング６１，６２との間に抵抗が生じるときに、斜面部８１を利用して突起部１０を移動させることができる。そのため、使用者は、当該抵抗に打ち勝つ程度の力を発揮するために、極端に大きな力を入れる必要が無い。つまり、使用者は、あまり力を入れずにホルダ１１０にカートリッジ１９０を取り付けることができる。
【０１０３】
フィルタアセンブリ１００において、Ｏリング６３とＯリング６４とは、嵌合部１９５に取り付けられている。嵌合部１９５は、Ｏリング６１，６２が取り付けられた嵌合部１９４の上方に配置されている。また、Ｏリング６４の上端とＯリング６３の下端との間の寸法は、Ｏリング６２の上端とＯリング６１の下端との間の寸法ｂと同一である。
【０１０４】
この構成によれば、Ｏリング６１およびＯリング６２と、Ｏリング６３およびＯリング６４とによって、ホルダ１１０とカートリッジ１９０との間に水が漏れることをさらに防止することができる。また、この構成によれば、ホルダ１１０の内筒部１１２とＯリング６１，６２との間、および、鞘部１２３とＯリング６３，６４との間に抵抗が生じるときに、カートリッジ１９０の上側から下側に向かって斜面部８１に沿って内筒部１９３の円周方向に突起部１０を移動させることができる。そのため、使用者は、あまり力を入れずにホルダ１１０にカートリッジ１９０を取り付けることができる。
【０１０５】
なお、液体処理器とは、カートリッジ１９０の内部において水を濾過するものに限定されず、カートリッジ１９０の内部において所定の処理を施す機能を有しているものであればよい。フィルタアセンブリ１００は、例えば、カートリッジ１９０の内部において、複数種の液体を混合させるものであってもよく、液体に気体または固体の物質を混合させるものであってもよい。
【０１０６】
フィルタアセンブリ１００において、半径方向の外方に向かって取り付け側の突起部と、取り外し用の突起部とが延びていてもよく、半径方向の内方に向かってカートリッジ１９０の凸状部が延びていてもよい。このような構成により、カートリッジ１９０の上端部がホルダ１１０に連結されていてもよい。
【０１０７】
カートリッジ１９０の外周壁の形状と、ホルダ１１０の外周壁の形状とは、それぞれ円筒形状に限定されず、多角形の筒形状であってもよい。
【０１０８】
ホルダ１１０の内周壁１１１ｗに形成される突起部１０と突起部３０とは、それぞれ上下方向で異なる位置に形成されていてもよい。それぞれ上下方向で異なる位置に形成された突起部１０と突起部３０との構成に合わせて、上下方向に沿った斜面部８１の位置および斜面部８４の位置とが決定されていればよい。この構成の場合に、凸状部８０の斜面部８４は、内筒部１９３の円周方向において水平面部８２が配置される位置とは異なる位置から、内筒部１９３の円周方向に沿って上方から下方に向かって斜めに、内筒部１９３の円周方向において斜面部８１が配置される位置とは異なる位置まで延びていればよい。
【０１０９】
フィルタアセンブリ１００において、ホルダ１１０は、二組の突起部１０と突起部３０とを有している。ただし、突起部１０と突起部３０とは、一組であってもよく、三組以上であってもよい。突起部１０と突起部３０とは、外筒部１１１の内周壁１１１ｗの円周方向において互い違いに配置されていればよい。斜面部８４は、内筒部１９３の円周方向において水平面部８２が配置される位置とは異なる位置から、内筒部１９３の円周方向に沿って上方から下方に向かって斜めに、内筒部１９３の円周方向において斜面部８１が配置される位置とは異なる位置まで延びていればよい。
【０１１０】
（第２実施形態）
図１７に示すように、取り付け側の突起部の形状は、上記実施形態１のものに限定されない。図１７（Ａ）〜（Ｆ）は、外筒部１１１の内周壁１１１ｗに形成された各突起部を、図９に示すように正面から見た場合の取り付け側の各突起部を示す図である。図１７（Ａ）〜（Ｆ）において、取り付け側の各突起部の形状は、概略的に示されている。なお、以下において、上記第１実施形態に係るフィルタアセンブリ１００と同一の構成のものには同符号を付し、その説明を省略する。
【０１１１】
図１７（Ａ）に示す例において、突起部１０ａの端面の一部には、傾斜面部１１ａが形成されている。傾斜面部１１ａは、外筒部１１１（図９参照）の長手方向および円周方向に対して傾斜し、且つ、斜面部８１（図７参照）が延びる方向と略平行な方向に延びている。傾斜面部１１ａが形成された端面は、カートリッジ１９０をホルダ１１０が蓋をするときに斜面部８１と対向する。また、突起部１０ａには、カートリッジ１９０をホルダ１１０が蓋をするときに凸状部８０の水平面部８２（図７参照）が延びる方向と略平行な方向に延びる水平面部１２ａが形成されている。
【０１１２】
図１７（Ｂ）に示す例において、突起部１０ｂは、三角柱形状を有している。突起部１０ｂの端面の一部には、外筒部１１１の長手方向および円周方向に対して傾斜し、且つ、斜面部８１が延びる方向と略平行な方向に延びる傾斜面部１１ｂが形成されている。傾斜面部１１ｂが形成された端面は、カートリッジ１９０をホルダ１１０が蓋をするときに斜面部８１と対向する。なお、突起部１０ｂは、水平面部８２（図７参照）が延びる方向と略平行な方向に延びる水平面部を有していない。
【０１１３】
図１７（Ｃ）に示す例において、突起部１０ｃは、円柱形状を有している。突起部１０ｃの端面の一部には、斜面部８１に向かって突出するように湾曲する曲面部１０ｓが形成されている。曲面部１０ｓが形成された端面は、カートリッジ１９０をホルダ１１０が蓋をするときに斜面部８１と対向する。なお、突起部１０ｃは、水平面部８２が延びる方向と略平行な方向に延びる水平面部を有していない。ただし、突起部１０ｃの上端１０ｕが、水平面部８２に沿って移動することができる。
【０１１４】
図１７（Ｄ）に示す例において、突起部１０ｄの端面の一部には、斜面部８１に向かって突出するように湾曲する曲面部１１ｄが形成されている。曲面部１１ｄが形成された端面は、カートリッジ１９０をホルダ１１０が蓋をするときに斜面部８１と対向する。曲面部１１ｄは、実施形態１に係るフィルタアセンブリ１００の突起部１０と異なり、端面の上端から下端まで、つまり、突起部１０ｄの略中央部から底部までにも曲面が形成されている。また、突起部１０ｄには、カートリッジ１９０をホルダ１１０が蓋をするときに水平面部８２が延びる方向と略平行な方向に延びる水平面部１２ｄが形成されている。
【０１１５】
図１７（Ｅ）に示す例において、突起部１０ｅは、各頂点が曲面状に形成された略四角柱形状を有している。略四角柱の頂点を含む突起部１０ｅの端面の一部には、斜面部８１に向かって突出するように湾曲する曲面部１１ｅが形成されている。曲面部１１ｅが形成された端面は、カートリッジ１９０をホルダ１１０が蓋をするときに斜面部８１と対向する。また、突起部１０ｅの端面の一部には、縦面部１１ｅｓが形成されている。縦面部１１ｅｓは、上側の曲面部１１ｅの下端から、下側の曲面部（参照番号を省略）まで下方に延びている。さらに、突起部１０ｅには、水平面部８２が延びる方向と略平行な方向に延びる水平面部１２ｅが形成されている。
【０１１６】
図１７（Ｆ）に示す例において、突起部１０ｆは、五角柱形状を有している。突起部１０ｆの端面の一部には、外筒部１１１の長手方向および円周方向に対して傾斜し、且つ、斜面部８１が延びる方向と略平行な方向に延びる傾斜面部１１ｆが形成されている。傾斜面部１１ｆが形成された端面は、カートリッジ１９０をホルダ１１０が蓋をするときに斜面部８１と対向する。傾斜面部１１ｆは、端面の上側に形成されている。また、突起部１０ｆの端面の一部には、縦面部１１ｆｓが形成されている。縦面部１１ｆｓは、傾斜面部１１ｆの下端から下方に延びている。縦面部１１ｆｓは、凸状部８０のストッパ面８３（図７参照）の形状に整合するように形成されている。さらに、突起部１０ｆには、カートリッジ１９０をホルダ１１０が蓋をするときに水平面部８２が延びる方向と略平行な方向に延びる水平面部１２ｆが形成されている。
【０１１７】
図１７（Ｃ），（Ｄ），（Ｅ）に示す例によれば、各曲面部１０ｓ，１１ｄ，１１ｅは、斜面部８１に向かって突出するように湾曲している。そのため、フィルタアセンブリ１００（図５参照）においてカートリッジ１９０がホルダ１１０に取り付けられる場合に、曲面部１０ｓ，１１ｄ，１１ｅを介して突起部１０ｃ，１０ｄ，１０ｅが斜面部８１を円滑に摺動することができる。つまり、フィルタアセンブリ１００においてカートリッジ１９０がホルダ１１０に取り付けられる場合に、各突起部１０ｃ，１０ｄ，１０ｅは、カートリッジ１９０に対してより円滑に、カートリッジ１９０の上側から下側に向かって斜面部８１に沿って内筒部１９３（図５参照）の円周方向に移動することができる。このように、図１７（Ｃ），（Ｄ），（Ｅ）に示す例の構成によれば、カートリッジ１９０をホルダ１１０に容易に取り付けることができる。
【０１１８】
図１７（Ａ），（Ｂ），（Ｆ）に示す例によれば、各傾斜面部１１ａ，１１ｂ，１１ｆは、斜面部８１が延びる方向と略平行な方向に延びている。そのため、フィルタアセンブリ１００においてカートリッジ１９０がホルダ１１０に取り付けられる場合に、傾斜面部１１ａ，１１ｂ，１１ｆを介して突起部１０ａ，１０ｂ，１０ｆが斜面部８１を円滑に摺動することができる。つまり、フィルタアセンブリ１００においてカートリッジ１９０がホルダ１１０に取り付けられる場合に、突起部１０ａ，１０ｂ，１０ｆは、カートリッジ１９０に対してより円滑に、カートリッジ１９０の上側から下側に向かって斜面部８１に沿って内筒部１９３の円周方向に移動することができる。このように、図１７（Ａ），（Ｂ），（Ｆ）に示す例の構成によれば、カートリッジ１９０をホルダ１１０に容易に取り付けることができる。
【０１１９】
図１７（Ａ），（Ｄ），（Ｅ），（Ｆ）に示す例によれば、フィルタアセンブリ１００においてカートリッジ１９０がホルダ１１０に連結されているときに、突起部１０ａ，１０ｄ，１０ｅ，１０ｆの水平面部１２ａ，１２ｄ，１２ｅ，１２ｆが水平面部８２に沿って接触している。これにより、カートリッジ１９０の内部の圧力が、ホルダ１１０に対してカートリッジ１９０が取り外される力として作用することを、より確実に制限することができる。
【０１２０】
（第３実施形態）
図１８に示すように、取り外し側の突起部の形状は、上記実施形態１のものに限定されない。図１８（Ａ）〜（Ｆ）は、外筒部１１１の内周壁１１１ｗに形成された各突起部を、図９に示すように正面から見た場合の取り外し側の各突起部を示す図である。図１８（Ａ）〜（Ｆ）において、取り外し側の各突起部の形状は、概略的に示されている。図１８（Ａ）〜（Ｆ）に示す各突起部の例は、上記第２実施形態の突起部の例のいずれかとの組み合わせによって、フィルタアセンブリ１００（図１参照）に用いられていてもよい。なお、以下において、上記第１実施形態に係るフィルタアセンブリ１００と同一の構成のものには同符号を付し、その説明を省略する。
【０１２１】
図１８（Ａ）に示す例において、突起部３０ａの端面の一部には、傾斜面部３１ａが形成されている。傾斜面部３１ａは、外筒部１１１（図９参照）の長手方向および円周方向に対して傾斜し、且つ、斜面部８４（図７参照）が延びる方向と略平行な方向に延びている。傾斜面部３１ａが形成された端面は、カートリッジ１９０がホルダ１１０から取り外されるときに斜面部８４と対向する。
【０１２２】
図１８（Ｂ）に示す例において、突起部３０ｂは、三角柱形状を有している。突起部３０ｂの端面の一部には、外筒部１１１の長手方向および円周方向に対して傾斜し、且つ、斜面部８４が延びる方向と略平行な方向に延びる傾斜面部３１ｂが形成されている。傾斜面部３１ｂが形成された端面は、カートリッジ１９０がホルダ１１０から取り外されるときに斜面部８４と対向する。
【０１２３】
図１８（Ｃ）に示す例において、突起部３０ｃは、円柱形状を有している。そのため、カートリッジ１９０がホルダ１１０から取り外されるときに斜面部８４と対向する突起部３０ｃの端面には、斜面部８４に向かって突出するように湾曲する曲面部３０ｓが形成されている。
【０１２４】
図１８（Ｄ）に示す例において、カートリッジ１９０がホルダ１１０から取り外されるときに斜面部８４と対向する突起部３０ｄの端面の一部には、斜面部８４に向かって突出するように湾曲する曲面部３１ｄが形成されている。曲面部３１ｄは、実施形態１に係るフィルタアセンブリ１００の突起部３０と異なり、端面の上端から下端まで、つまり、突起部３０ｄの略中央部から頂部までにも曲面が形成されている。
【０１２５】
図１８（Ｅ）に示す例において、突起部３０ｅは、各頂点が曲面状に形成された略四角柱形状を有している。略四角柱の頂点を含む突起部３０ｅの端面の一部には、斜面部８４に向かって突出するように湾曲する曲面部３１ｅが形成されている。曲面部３１ｅが形成された端面は、カートリッジ１９０がホルダ１１０から取り外されるときに斜面部８４と対向する。また、突起部３０ｅの端面の一部には、縦面部３１ｅｓが形成されている。縦面部３１ｅｓは、下側の曲面部３１ｅの上端から、上側の曲面部（参照番号を省略）まで上方に延びている。
【０１２６】
図１８（Ｆ）に示す例において、突起部３０ｆは、五角柱形状を有している。突起部３０ｆの端面の一部には、外筒部１１１の長手方向および円周方向に対して傾斜し、且つ、斜面部８４が延びる方向と略平行な方向に延びる傾斜面部３１ｆが形成されている。傾斜面部３１ｆが形成された端面は、カートリッジ１９０がホルダ１１０から取り外されるときに斜面部８４と対向する。傾斜面部３１ｆは、端面の下側に形成されている。また、突起部３０ｆの端面の一部には、縦面部３１ｆｓが形成されている。縦面部３１ｆｓは、傾斜面部３１ｆの上端から上方に延びている。
【０１２７】
図１８（Ａ），（Ｂ），（Ｆ）に示す例によれば、各傾斜面部３１ａ，３１ｂ，３１ｆは、斜面部８４が延びる方向と略平行な方向に延びている。そのため、フィルタアセンブリ１００においてカートリッジ１９０がホルダ１１０から取り外される場合に、傾斜面部３１ａ，３１ｂ，３１ｆを介して突起部３０ａ，３０ｂ，３０ｆが斜面部８４を円滑に摺動することができる。つまり、フィルタアセンブリ１００においてカートリッジ１９０がホルダ１１０から取り外される場合に、突起部３０ａ，３０ｂ，３０ｆは、カートリッジ１９０に対してより円滑に、カートリッジ１９０の下側から上側に向かって斜面部８４に沿って内筒部１９３の円周方向に移動することができる。このように、図１８（Ａ），（Ｂ），（Ｆ）に示す例の構成によれば、カートリッジ１９０をホルダ１１０から容易に取り外すことができる。
【０１２８】
図１８（Ｃ），（Ｄ），（Ｅ）に示す例によれば、各曲面部３０ｓ，３１ｄ，３１ｅは、斜面部８４に向かって突出するように湾曲している。そのため、フィルタアセンブリ１００においてカートリッジ１９０がホルダ１１０から取り外される場合に、曲面部３０ｓ，３１ｄ，３１ｅを介して突起部３０ｃ，３０ｄ，３０ｅが斜面部８４を円滑に摺動することができる。つまり、フィルタアセンブリ１００においてカートリッジ１９０がホルダ１１０から取り外される場合に、突起部３０ｃ，３０ｄ，３０ｅは、カートリッジ１９０に対してより円滑に、カートリッジ１９０の下側から上側に向かって斜面部８４に沿って内筒部１９３の円周方向に移動することができる。このように、図１８（Ｃ），（Ｄ），（Ｅ）に示す例の構成によれば、カートリッジ１９０をホルダ１１０から容易に取り外すことができる。
【０１２９】
（第４実施形態）
図１９（Ａ）〜（Ｄ）には、取り付け側の突起部に取り外し側の突起部が接続された、各取り付け側の突起部と、各取り外し側の突起部との例を示す。つまり、取り付け側の突起部が取り外し側の突起部を兼ねていてもよく、または、取り付け側の突起部が取り外し側の突起部を兼ねていてもよい。
【０１３０】
図１９（Ａ）〜（Ｄ）において、取り外し側の突起部が取り付け側の突起部に接続された各突起部（以下、単に接続突起部という）の形状は、概略的に示されている。図１９（Ａ）〜（Ｄ）は、外筒部１１１の内周壁１１１ｗに形成された各接続突起部を、図９に示すように正面から見た場合の各接続突起部を示す図である。なお、以下において、上記第１実施形態に係るフィルタアセンブリ１００と同一の構成のものには同符号を付し、その説明を省略する。
【０１３１】
図１９（Ａ）に示す例において、接続突起部２０ａの端面の一部には、斜面部８１（図７参照）に向かって突出するように湾曲する曲面部２１ａが形成されている。曲面部２１ａが形成された端面は、カートリッジ１９０をホルダ１１０が蓋をするときに斜面部８１と対向する。曲面部２１ａは、実施形態１に係るフィルタアセンブリ１００の突起部１０と異なり、端面の上端から下端まで、つまり、接続突起部２０ａの略中央部から底部までにも曲面が形成されている。また、接続突起部２０ａには、カートリッジ１９０をホルダ１１０が蓋をするときに水平面部８２（図７参照）が延びる方向と略平行な方向に延びる水平面部２２ａが形成されている。
【０１３２】
図１９（Ａ）に示す例において、カートリッジ１９０がホルダ１１０から取り外されるときに斜面部８４（図７参照）と対向する接続突起部２０ａの他の端面の一部には、斜面部８４に向かって突出するように湾曲する曲面部２３ａが形成されている。曲面部２３ａは、実施形態１に係るフィルタアセンブリ１００の突起部３０と異なり、他の端面の下端から上端まで、つまり、接続突起部２０ａの略中央部から水平面部２２ａまでにも曲面が形成されている。
【０１３３】
図１９（Ｂ）に示す例において、カートリッジ１９０をホルダ１１０が蓋をするときに斜面部８１と対向する接続突起部２０ｂの端面の一部には、斜面部８１に向かって突出するように湾曲する曲面部２１ｂが形成されている。また、接続突起部２０ｂには、カートリッジ１９０をホルダ１１０が蓋をするときに水平面部８２が延びる方向と略平行な方向に延びる水平面部２２ｂが形成されている。カートリッジ１９０がホルダ１１０から取り外されるときに斜面部８４と対向する接続突起部２０ｂの他の端面の一部には、斜面部８４に向かって突出するように湾曲する曲面部２３ｂが形成されている。
【０１３４】
図１９（Ｃ）に示す例において、接続突起部２０ｃは、接続突起部２０ｃの断面形状が平行四辺形である略四角柱形状を有している。カートリッジ１９０をホルダ１１０が蓋をするときに斜面部８１と対向する接続突起部２０ｃの端面の一部には、外筒部１１１（図９参照）の長手方向および円周方向に対して傾斜し、且つ、斜面部８１が延びる方向と略平行な方向に延びる傾斜面部２１ｃが形成されている。また、接続突起部２０ｃには、カートリッジ１９０をホルダ１１０が蓋をするときに水平面部８２が延びる方向と略平行な方向に延びる水平面部２２ｃが形成されている。カートリッジ１９０がホルダ１１０から取り外されるときに斜面部８４と対向する接続突起部２０ｃの他の端面の一部には、傾斜面部２３ｃが形成されている。傾斜面部２３ｃは、外筒部１１１の長手方向および円周方向に対して傾斜し、且つ、斜面部８４が延びる方向と略平行な方向に延びている。なお、接続突起部２０ｃの各頂点は、曲面状に形成されていてもよい。
【０１３５】
図１９（Ｄ）に示す例において、カートリッジ１９０をホルダ１１０が蓋をするときに斜面部８１と対向する接続突起部２０ｄの端面の一部には、外筒部１１１の長手方向および円周方向に対して傾斜し、且つ、斜面部８１が延びる方向と略平行な方向に延びる傾斜面部２１ｄが形成されている。傾斜面部２１ｄは、端面の上側に形成されている。また、接続突起部２０ｄの端面の一部には、縦面部２１ｄｓが形成されている。縦面部２１ｄｓは、傾斜面部２１ｄの下端から下方に延びている。縦面部２１ｄｓは、凸状部８０のストッパ面８３（図７参照）の形状に整合するように形成されている。さらに、接続突起部２０ｄには、カートリッジ１９０をホルダ１１０が蓋をするときに水平面部８２が延びる方向と略平行な方向に延びる水平面部２２ｄが形成されている。
【０１３６】
図１９（Ｄ）に示す例において、カートリッジ１９０がホルダ１１０から取り外されるときに斜面部８４と対向する接続突起部２０ｄの他の端面の一部には、外筒部１１１の長手方向および円周方向に対して傾斜し、且つ、斜面部８４が延びる方向と略平行な方向に延びる傾斜面部２３ｄが形成されている。傾斜面部２３ｄは、他の端面の下側に形成されている。また、接続突起部２０ｄの他の端面の一部には、縦面部２３ｄｓが形成されている。縦面部２３ｄｓは、傾斜面部２３ｄの上端から上方に延びている。
【０１３７】
図１９（Ａ）〜（Ｄ）に示す各接続突起部のいずれかが内周壁１１１ｗ（図８参照）に複数配置されている場合には、内周壁１１１ｗにおいてそれぞれが等間隔に配置されていることが好ましい。また、各接続突起部は、図１９（Ａ）〜（Ｄ）に示す例のいずれか複数が組み合わせられることによって内周壁１１１ｗに複数配置されていてもよく、図１９（Ａ）〜（Ｄ）に示す例のいずれか一つが内周壁１１１ｗに複数配置されていてもよい。
【０１３８】
内周壁１１１ｗに配置される接続突起部の数は、一から四までの数であることが好ましい。一方、カートリッジ１９０の凸状部８０の数は、接続突起部の数と同数である。図１９（Ａ）〜（Ｄ）に示す例のように、取り付け側の突起部に取り外し側の突起部が接続された接続突起部によれば、使用者は、ホルダ１１０に対するカートリッジ１９０の回転開始位置を確認することなしにカートリッジ１９０をホルダ１１０に取り付けることができる。そのため、ホルダ１１０とカートリッジ１９０とは、それぞれ目印９１，９２（図１０参照）を有していなくてもよい。
【０１３９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１４０】
１０：突起部、１１：曲面部、１１ａ，１１ｂ，１１ｆ：傾斜面部、１２：水平面部、３０：突起部、３１：曲面部、３１ａ，３１ｂ，３１ｆ：傾斜面部、６１，６２，６３，６４：Ｏリング、８０：凸状部、８１：斜面部、８２：水平面部、８４：斜面部、１００：フィルタアセンブリ、１１０：ホルダ、１１１：外筒部、１１１ｗ：内周壁、１９０：カートリッジ、１９２：外筒部、１９３：内筒部
【図１】
0005325277.tif 000002
【図２】
0005325277.tif 000003
【図３】
0005325277.tif 000004
【図４】
0005325277.tif 000005
【図５】
0005325277.tif 000006
【図６】
0005325277.tif 000007
【図７】
0005325277.tif 000008
【図８】
0005325277.tif 000009
【図９】
0005325277.tif 000010
【図１０】
0005325277.tif 000011
【図１１】
0005325277.tif 000012
【図１２】
0005325277.tif 000013
【図１３】
0005325277.tif 000014
【図１４】
0005325277.tif 000015
【図１５】
0005325277.tif 000016
【図１６】
0005325277.tif 000017
【図１７】
0005325277.tif 000018
【図１８】
0005325277.tif 000019
【図１９】
0005325277.tif 000020